(57)【要約】      （修正有）【課題】ほぼ顔面から下顎そして首元までを連続して一体型に或いは顔上部と顔下部から首元までの２枚に分割して貼り付ける多目的の美容の効能効果が得られるパック用シート提供する。【解決手段】パック用シートの切り込み線は輪郭縁部の手前に施されて、薬液を浸或いは塗布され折り畳まれたシートを広げる作業に手間暇を必要とせず貼り付けが容易で、それぞれの切り込み線６、１１、１３は、使用の際に切り離して、顔面から下顎先両端辺部そして喉の部位部を経て首元の部位までの連続した翁形を覆い、鼻部、顎部、首部に対応するそれぞれのシート片部の箇所には横方向に伸ばせるためのミシン目状の切り込み線４を縦に平行して複数列設けて、不織布の繊維の並び方向に沿ってスリットすることで、簡単に伸ばして貼り付ける。【選択図】図１
2011250917.tif 000002
【特許請求の範囲】
【請求項１】
繊維の並び方向と顔面の縦方向の向きと合わせた繊維素材からなる不織布シートを、顔面の額から顎先端部分、喉を経由して首元部分までを連続して覆う略翁形状の平面体に打ち抜き、
この平面体のうち顔面対応部分には左右の鼻翼を結ぶ水平方向の切り込み線を入れ、この切り込み線を下端として鼻筋に沿ってハ字状或いは縦方向に走るミシン目状の切り込み線を複数列形成し、左右の眼にそれぞれ対応した箇所には横長の楕円孔を、左右の目尻からこめかみにかけての部分に対応して波紋状に広がる複数本のミシン目状切り込み線をそれぞれ形成し、この左右複数本のミシン目状切り込み線は目尻の端の上部及び下部を始点とし、平面体の周縁直前を終端とした２本の直線の切り込み線で挟んで他と区分し、且つ左右双方の波紋状に広がる複数本のミシン目状切り込み線の外側の打ち抜き縁部にはつまみ用の突出部を上下にずらしてそれぞれ設け、
左右の頬部にそれぞれ対応した箇所には縦方向に平行した複数本のミシン目状切り込み線を、口に対応した箇所には横長の楕円孔を、左右の口元から両頬部の下を経て平面体の打ち抜き縁部直前に至るまでの部分に、曲線と直線を組み合わせた凡そ髭形状の横長の切りこみ線をそれぞれ設け、
顎先端部分に対応した箇所には横並びに平行する複数列にわたって縦並びの複数列のミシン目状切り込み線を設け、
左顎裏を始点としてここから右斜め下方の首のほぼ中央部を横切り斜め右下方向へ伸びて翁顔の左右の顎から首に至る輪郭線が交わる手前を終端とした略Ｓ字の切り込み線を設けた縦長一体型のパック用シート。
【請求項２】
繊維素材からなる不織布シートを、繊維の並びの方向と顔面の縦方向の向きと合わせ、顔
面の額から両眼そして鼻部を覆う上部のパック用シートと、口部から顎先端部分を経由して、喉そして首元部分までを連続して覆う略翁形状の下部パック用シートの平面体に打ち抜き、上下２枚に分割されたセパレーツ型のパック用シートであって、
上部パック用シートの平面体のうち顔面対応部分には左右の鼻翼を結ぶ水平方向の切り込み線を入れ、この切り込み線を下端として鼻筋に沿ってハ字状或いは縦方向に走るミシン目状の切り込み線を複数列形成し、左右の眼にそれぞれ対応した箇所には横長の楕円孔を、左右の目尻からこめかみにかけての部分に対応して波紋状に広がる複数本のミシン目状切り込み線をそれぞれ形成し、この左右複数本のミシン目状切り込み線は目尻の端の上部及び下部を始点とし、平面体の周縁直前を終端とした２本の直線の切り込み線で挟んで他と区分し、且つ左右双方の波紋状に広がる複数本のミシン目状切り込み線の外側の打ち抜き縁部にはつまみ用の突出部を上下にずらしてそれぞれ設け、
左右の頬部にそれぞれ対応した箇所には縦方向に平行した複数本のミシン目状切り込み線を設け、パック用シートの外周縁部は額上部の両端から左右こめかみ縁を経て両頬部端の部位までを覆う形状とし、
下部パック用シートは口に対応した箇所には横長の楕円孔を形成し、これに連続して顎先端部分に対応した箇所には横並びに平行する複数列にわたって縦並びの複数列のミシン目状切り込み線を設け、
左顎裏を始点としてここから右斜め下方の首のほぼ中央部を横切り斜め右下方向へ伸びて翁顔の左右の顎から首に至る輪郭線が交わる手前を終端とした略Ｓ字の切り込み線を設け、
パック用シートの外周縁部は人中から左右両頬部へ下顎両片部を経て喉部分そして首元部分までを覆う形状としたセパレーツ型のパック用シート。
【請求項３】
Ｓ字の切り込み線で隔てられた左右それぞれの領域の、喉部から首元に至る箇所には縦方向に平行した複数列のミシン目状切り込み線をそれぞれ形成した請求項１または２に記載のパック用シート。
【請求項４】
ほぼ顔面から略翁形状の平面体の外周縁部には、切り込み線先端に対向した楔形の切り込みを施し、この楔形の切り込み最奥部に前記内側からの切り込み線と対向する短い切り込み線を形成した請求項１から３のいずれかに記載のパック用シート。
【発明の詳細な説明】
【技術分野】
【０００１】
本発明は不織布の素材を用いて、ほぼ顔面から下顎先そして喉部を経て首元までを連続させて、下顎から喉部そして首元にかけて広く貼り付ける、翁の顔形に似た形状の化粧用フェイスマスク（以下これをパック用シートと略称する）に関する。
【０００２】
さらに詳しくは、パック用シートを不織布シートから打ち抜く際のシートの素材としては、自然繊維で薬事法上定められた主原料の原料吸着率が低く、一定期間内においても薬効の効果が安定している素材や貼り付けてフィットさせる伸びが多少みられる素材或いは紫外線を反射させる素材（以下これを繊維素材と略称する）を用いたものである。
【背景技術】
【０００３】
従来、美容成分を含んだ状態で、ほぼ顔面から喉部まで連続した或いは顔上部と顔下部から喉部までを連続した状態の２枚に分けての貼りつけられるフェイスマスクが使用されている。これらのフェイスマスクは、不織布に美容液の含浸やゲルを塗布した（以下これらを不織布と略称する）の含水シートを素材として形成している。これらフェイスマスクは概ね両眼、鼻、口及び下顎から喉部を対抗する部分に切り欠き孔や切り込み線が施されている。
【０００４】
しかし従来の用法には首元の部分が加えられておらず美容の点から問題であり、加齢や外界に刺激される顔面と首元との美容の斑は一目瞭然で直ぐ分かり、女性にとっては自身を鏡に映すことや対面することに不自然さを感じるので解決策を講じることが必要だ。
【０００５】
さらに、折り畳まれた状態のシートを広げて顔面に貼り付け、フィット調整させるために長く切り込まれた線があると機能もあるが、切り込まれた片部による絡みが生じてシートを広げることや貼り付けることに手間暇がかかるので改善策が必要である。
【０００６】
続き、本発明の喉元から首元までを連続させて翁形状の面に密着そして安定した貼り付状態を保つことは、従来の製剤での密着性では問題が考えられ、パック用シートの重さから剥がれの問題があるので、パック用シートに機能を付加することや、不織布に含浸させる美容液剤或いは塗布するゲルの改良が必要である。
【０００７】
パック用シートは、不織布シートに輪郭及び切り欠き孔や切り込み線部を刃型で打ち抜くことによって作成される。
【先行技術文献】
【特許文献】
【０００８】
【特許文献１】特開２００８-２８９８２１号
【特許文献２】特願２００９-２８９１７５号        首元までの連続した肌は、顔面や喉部そして首部と同じに外界の刺激にさらされ、四季の環境下の紫外線や冷たい風の中で、また加齢の状態が伴って、日焼けやシミ、皺や弛みが出やすくなり、首部の皮膚組織や皮下組織が垂れ下がる状態となることを、従来になかった、顔面と同様の美容用法で首元までも連続したパック用シートを貼り付けることは、美容の効能効果を斑なく一度に期することができる。
【０００９】
下顎から首元まで連続しての領域を密着させる仕組みには、対応する部位に「Ｓ」字に似たる切り込み曲線を設け、２片にスリットされた左右互いのシート片部を和服の着付ける襟を重ね合わせて、弛みを省くが如く、貼りつけてより密着させる機能を付けたパック用シートができることは、かなりの勝れものであり美肌へのケアーの必需品で、新しい化粧分野の、夏にはアウトドアでの日焼けとシミの防止と手入れ対策、冬には肌の乾燥防止と保湿保護の手入れ対策の新商品の開発となる。
【発明の概要】
【発明が解決しようとする課題】
【００１０】
本発明が解決しようとする技術的な課題は、不織布シートをパック用シートに打ち抜く方法や肌を持ち上げる機能や密着させてフィットさせる機能を付けることであり、不織布シートと含浸させる美容液剤や塗布するゲルとの相性をより良く改良し、従来のパック用シートで覆うことができなかった顔面から首元までを連続して打ち抜いて、同じ美容の効能効果が得られるパック用シートを構成することである。
【００１１】
更に、折り畳まれた状態のシートを容易に広げてスムーズに顔面に貼り付けるためには、輪郭線は切り込み線で裁ち切らず連続した状態であり、シート片部による絡み広げるのに手間暇がかかるので、貼り付ける際に切り離しが容易な幾種かの切り込み線の改良を成したパック用シートを提供することである。
【課題を解決するための手段】
【００１２】
前期課題であるパック用シートを構成するための本発明は、繊維素材を用いて、不織布の繊維の縦方向と顔の額から首元の縦方向とを合わせて打ち抜いて、ほぼ顔面から下顎を加えて首元までを連続して覆う縦長一体型パック用シートと顔の上半分に対応する上部パック用シートと顔下半分に下顎を加えて首元までを連続させて覆う下部パック用シートの２枚に分割されたセパレーツ型パック用シートの平面体に打ち抜いて、加えて含浸や塗布する製剤は粘着性の相性を高めた処方構成とする。
【００１３】
パック用シートの機能をより高める構成は、不織布シートが横方向に伸びる特性を活かすことあり、不織布シートの繊維の縦方向にミシン目状の切り込み線を合わせて、「ハ」字状や縦方向に走る複数列のミシン目状切り込み線を配し、不織布シートの繊維がスリットされているので、横方向に引っ張ることで、施された部位が伸び広がって、接する肌に引っ張り感や持ち上がり感そしてフィット感（以下これを体感と略称する）を与えるので、また体感をより強くする方法は、複数列のミシン目状の切り込み線を配した部分を周囲のシートから切り離し分けるとより伸び広がるので、直線や曲線又はミシン目、それぞれの組み合わせ（以下これを切り込み線と略称する）を入れて、且つ横方向の縁には引っ張り伸ばすためのつまみ用の突出部や突端部或いはつかみ代を設けた構成とする。
【００１４】
切り込み線の先端が終端する手前の縁部に、切り離す目印となる凹や凸の半円或いは角状のノッチ形状を設け、対応させる部位に内側からの切り込み線と外側からの切り込み線で極僅かな約１．５ｍｍ幅ほどの輪郭縁部を挟み、シートの材質や目付量によって多少の細工を必要とするが、指で容易に裁ち切ることができる構成とする。
【００１５】
不織布シートを打ち抜いてパック用シートとするタイプは、ほぼ顔全体に喉部から首元までを加えて覆い連続して貼りつける１枚のシートの縦長一体型タイプとほぼ顔全体に喉部から首元までを加えて覆う領域を上部パック用シートと下部パック用シートに分割して打ち抜いたセパレーツ型の２つのタイプで、不織布繊維の並びの方向と顔面縦方向との向きを合わせて平面体に打ち抜いて構成されることを特徴とする。
【００１６】
本発明のパック用シートを構成する輪郭や切り欠き孔そしてミシン目状の切り込み線の仕様は、不織布を構成する繊維素材の製法や素材そして目付量の小さい〜１００（ｇ/ｍｍ２）以下に応じて切り込むミシン目の間隔、全体線の長さ、複数列の本数を変えることが必要で、不織布シートの強度が増すとミシン目の間隔を大きく開け、本数も増やす調整の様々になるが、具体例に図１のほぼ顔全体に下顎部や下顎両片部に対応する折り返し片部を連続させた首元を加えて結ぶ縦長一体型を図２と図３に分けて詳細を示し、図６には顔上部と顔下部から首元までを連続して結ぶ領域を上下に分割したセパレーツ型を図７と図８に分けて詳細を示し、それぞれに使用の不織布シートを構成する繊維はスパンレース仕様であり、全てコットン素材を用いて、シートの目付を６０（ｇ/ｍｍ２）、繊維の並びの方向に顔の縦方向を合わせて平面体に打ち抜いて以下に２つのタイプを示す。
【００１７】
図１のほぼ顔全体に下顎部や下顎両片部に対応する折り返し片部を連続させた首元を加えて結び覆うパック用シートの大よその形態は、額の上部から顎先部分を経て喉元を加えて首元までを２８０ｍｍとし、横方向の頬部から人中を経てもう一方の頬部縁までを１９０ｍｍとし、顎片部突端部縁から口部を経てもう一方の顎片部突端部縁までの横方向を２３０ｍｍとする。
【００１８】
図２の平面体には、両眼に対応の切り欠く孔は長軸４５ｍｍ縦軸２０ｍｍの楕円孔を設け、両目尻横からこめかみの扇に似たる領域には波紋に似たる目尻から２ｍｍ、３ｍｍ、４ｍｍ、５ｍｍ、６ｍｍの間隔でミシン目状の切り込み線を設け、且つ波紋状に広がる複数本の弓状のミシン目状の切り込み線を目尻の端の上部と下部からそれぞれ２本の直線の切り込み線で挟んで他と区分し、且つ左右双方の終端縁部にはつまみ用の突出部を上下にお互いをずらして設け、直線の先端は周辺直前を終端とする。
【００１９】
続いて、鼻翼からもう一方の鼻翼の鼻下端部に対抗する水平方向の切り込み線を６０ｍｍ、すぐ真上に、中心の立体三角形とする鼻部を覆いほぼ台形の領域の上底２５ｍｍ下底６５ｍｍ高さ５５ｍｍ領域内には鼻筋の幅を真ん中にして両側の領域のそれぞれに縦方向や「ハ」字状に走る７本のミシン目状の切り込み線を設け、鼻下端部に対応する切り込み線と貼り付ける際に鼻尖に対応して目安となる６ｍｍ幅の中央先端部には半円に似たる形状を設ける。
【００２０】
左右両頬部の領域には横方向に４０ｍｍ、シート繊維の縦方向に３５ｍｍの略四角の領域には５ｍｍの等間隔で縦方向に平行して並ぶ８本のミシン目状の切り込み線を施し、小鼻の溝を押さえて頬部の左右の端を斜め上に持ち上げて、耳方向に引っ張りフィットさせる。
【００２１】
口部に対応の切り欠き孔は長軸５５ｍｍ縦軸１６ｍｍの楕円孔を設け、両口元若干斜め上から頬下部を経て外側横方向の平面体の周縁直前に至る領域に、左右双方の両輪郭線手前に達する曲線や直線を組み合わせた凡そ髭形状の横長の切り込み線を設け、切り欠いて構成する。
【００２２】
図３は、連続して顎先先端部分を経由し、喉そして首元部分までを連続して覆う略翁形状の平面体であり、下顎部に対応する領域には左右双方を徐々に引っ張ると不織布の横方向に伸びる特性とミシン目で繊維をスリットすることから横に伸び広がって、下顎を包み込んで力の支点となる横方向１１０ｍｍ縦方向２０ｍｍの領域にミシン目を繊維の方向に平行に並び施し、横方向に並び、上を揃えて下方向に、中央部にはより広がらせるための間隔を集中させて、両端方向には間隔広く長さを短くして、全体に２２本のミシン目状の切り込み線を設け、左右双方の上部の輪郭縁部には引っ張るためのつまみ用の突端部を設ける。
【００２３】
下顎先両端片部から喉の部位そして首元の部位までの連続して対応する翁顔を広く覆うシートの構成は、口元の下から縦の方向とする首元を覆う円弧の輪郭線の先端部までを１２５ｍｍとし、「Ｓ」字似たる切り込みの曲線は下顎左裏を始点とし、ここから斜め右下方のほぼ中央部を横切り斜め右下方向へ伸びて翁顔の左右の顎から首に至る輪郭線が交わる手前を終端とする。
【００２４】
「Ｓ」字を隔て左右のシート片部を設け、左のシート片部にはつかみ代と底辺の横方向に４５ｍｍ、そして繊維の縦方向に６０ｍｍを、互いの先部を「Ｓ」字スリットと似たる曲線で結び、結ばれた領域である左を対応する領域と右のスリット片部の右の対応の領域は凡そ相似の関係であり、互いの領域には上下にミシン目状のスリットが複数列に平行して凡そ５ｍｍ間隔で８本並び、不織布繊維がスリットされていることと、更に不織布の横の方向に伸びる特性が相俟って、縁部を押さえて対応するつかみ代を引っ張るとスリット片部が横方向に伸び広がる。
【００２５】
図６のほぼ顔全体と下顎部や下顎両片部に対応する折り返し片部を連続させた首元を加えて結ぶセパレーツ型のパック用シートの大よその形態は、額の上部からほぼ顔面と顎先部分を経て喉元を加えて首元までの領域を２８０ｍｍとし、
図７は顔上半分の上部パック用シートで、図８は顔下半分に下顎先両端片部から喉の部位そして首の部位までの連続させて貼り付ける翁形状の下部パック用シートでで、上下２枚に分割した平面体である。
【００２６】
図７の上部パック用シートの額上部から人中を覆うまでの顔面縦方向を１３９ｍｍとし、横方向の頬部縁から人中を経てもう一方の頬部縁までを１９０ｍｍとする。
【００２７】
この平面体には、両眼に対応の切り欠く孔は長軸４５ｍｍ縦軸２０ｍｍの楕円孔を設け、両目尻横からこめかみの扇に似たる領域には波紋に似たる目尻から２ｍｍ、３ｍｍ、４ｍｍ、５ｍｍ、６ｍｍの間隔でミシン目状の切り込み線を設け、且つ波紋状に広がる複数本の弓状のミシン目状の切り込み線を目尻の端の上部と下部からそれぞれ２本の直線の切り込み線で挟んで他と区分し、且つ左右双方の終端縁部にはつまみ用の突出部を上下にお互いをずらして設け、直線の先端は周辺直前を終端とする。
【００２８】
続いて、鼻翼からもう一方の鼻翼の鼻下端部に対抗する水平方向の切り込み線を６０ｍｍ、すぐ真上に、中心の立体三角形とする鼻部を覆いほぼ台形の領域の上底２５ｍｍ下底６５ｍｍ高さ５５ｍｍ領域内には鼻筋の幅を真ん中にして両側の領域のそれぞれに縦方向や「ハ」字状に走る７本のミシン目状の切り込み線を設け、鼻下端部に対応する切り込み線と貼り付ける際に鼻尖に対応して目安となる６ｍｍ幅の中央先端部には半円に似たる形状を設ける。
【００２９】
左右両頬部の領域には横方向に４０ｍｍ、縦方向に３５ｍｍの略四角の領域には５ｍｍの等間隔で縦方向に平行して並ぶ８本のミシン目状の切り込み線を施し、小鼻の溝を押さえて頬部の左右の端を斜め上に持ち上げて、耳方向に引っ張りながらフィットさせる。
【００３０】
図８の下部パック用シートの人中から顎先部そして喉を経て首元までの顔面からの縦方向を１５４ｍｍとし、横方向の顎片部突端部縁から口部を経てもう一方の顎片部突端部縁までを２３０ｍｍとする。
【００３１】
この平面体の顔下部から首元までの略翁形状の外周縁部は、鼻下人中から左右頬下部に、左右双方の鬢の縁から下顎両片部に、下顎裏部から喉部を経て首元までを連続して結ぶ。
【００３２】
口部に対応の切り欠き孔は長軸５５ｍｍ、縦軸１６ｍｍの楕円孔を設ける。
【００３３】
加えて顎先先端部分を経由して、喉そして首元部分までを連続して覆う略翁形状の平面体であり、下顎部に対応する領域には左右双方を徐々に引っ張ると不織布の特性とミシン目で繊維をスリットすることから横に伸び広がって、下顎を包み込んで力の支点となる横方向１１０ｍｍ縦方向２０ｍｍの領域にミシン目を平行に並び施し、上を揃えて下方向に並び、中央部にはより広がらせるための間隔を集中させて、両端方向には間隔広く長さを短くして、全体に２２本のミシン目状の切り込み線を設け、左右双方の上部の縁には引っ張るためのつまみ用の突端部を設ける。
【００３４】
下顎先両端片部から喉の部位そして首元の部位までの連続して対応する翁顔を広く覆うシートの構成は、口元下から縦の方向とする首元を覆う円弧の輪郭線の先端部までを１２５ｍｍとし、「Ｓ」字似たる切り込みの曲線は下顎左裏を始点とし、ここから斜め右下方のほぼ中央部を横切り斜め右下方向へ伸びて翁顔の左右の顎から首に至る輪郭線が交わる手前を終端とする。
【００３５】
「Ｓ」字を隔てた左のシート片部には、つかみ代と底辺の横方向に４５ｍｍそして縦方向に６０ｍｍを、互いの先部を「Ｓ」字スリットと似たる曲線で結び、左対応の領域と右のスリット片部の右対応の領域は凡そ相似の関係であり、互いの領域には上下にミシン目状のスリットが複数列に平行して凡そ５ｍｍ間隔で８本並び、不織布繊維がスリットされていること、更に不織布の横の方向に伸びる特性が相俟って、縁部を押さえて対応するつかみ代を引っ張るとスリット片部が横方向に伸び広がるように施されている。
【００３６】
本発明のパック用シートの平面体の外周縁部には、内側から外側方向に、それぞれ２０ｍｍから９５ｍｍの切り込み線を複数本施し、切り込み線先端の終端する手前の縁部に目印となる楔形状を設け、対応させる内側からの切り込み線と外側からの切り込み線で極僅かな約１．５ｍｍ幅ほどの輪郭縁部を挟み、シートの材質や目付量によって多少細工を必要とするが、指で容易に裁ち切ることができる構成としている。
【００３７】
本発明のパック用シートの下顎裏から首元の領域を貼り付ける際の、「Ｓ」字に似たるスリット曲線を隔てた左右それぞれのシート片部を密着そしてフィットさせるための仕組みは、和服を着付ける胸元の互いの襟を交互にして合わせ引いて弛みを省くが如く、余分なシートを吸収させて、互いのシート片部に施されたミシン目状の切り込み線を縦方向に平行して複数列設けたしーとの縁部を抑えてつかみ代を反対横方向に引っ張り肌にあてがいながら交互に貼り合わせる形態とする。
【００３８】
これらパック用シートを使用する際の、折り畳まれたシートを手早く広げるには、縁部に設けられたそれぞれの引っ張るための突出部や突端部をつまんで広げると手早い効果があり、また左右対称に折り畳まれて重なり合う場合の双方の突出部は簡単に剥がし広げづらくなるので、従ってわずかに上下方向にずらせて突出相互が重ならないようにするとつまみが容易になる。
【００３９】
両目尻からこめかみの皺や弛みを強制的に体感させる仕組みは、扇に似たる波紋状に広がる左右複数本の弓状のミシン目状の切り込み線領域を、目尻の端の上部と下部からそれぞれ直線で領域を挟み込むように、際に２本の切り込み線を施して他と区分し、直線は放射状にて先端はつまみ用突出部の輪郭線手前に施して、引っ張る際は、連続する縁部を切り離し、つまみを外側横方向に引っ張ることで複数列のミシン目状の切り込み線を容易に伸び広がらせて強制的に体感させる。
【００４０】
パック用シートの両眼の個々に対応する領域の、美容の効能効果を得る用法には、フラップ形状とするシート片部を設け、目頭付近から起点する切り込み線ともう一方の目尻付近から起点する切り込み線は互い平行して上まぶた付近まで上の方向に施して、そして互い上まぶた中央に向かい、つまみ用の突出形状を上部に形成し、切り込み線は突出形状の中ほどで交わらず手前に施し、シートの貼り付ける際に切り外して顔面の反対側に倒し、シートの載置を終えた最後に顔面外側に垂れ下げたフラップ状に切り込まれたシート片部を摘まんで、突出部を持ち上げながら上方向に貼りつける。また倒したままで使用することは、眼袋に対して倍量の化粧液の効果を期する。
【００４１】
本発明のフェイスマスクを形成する輪郭線が、切り込み線で裁ち切られても美容の効能効果については問題としない。
【００４２】
鼻部から左右両双方の頬部に連続して対応する構成は、ほぼ台形とする小鼻から鼻尖を経てもう一方の小鼻に至り、真上の目の目頭の部位に結びもう一方の目の目頭の部位に至り、真下の小鼻を結ぶ領域に縦の方向やハ字状に走るミシン目状の切り込み線を複数列に配して、連続して頬部を覆うシートには縦方向で平行に並ぶミシン目状の切り込み線を８本施し、横方向に引っ張ることで、小鼻の溝から頬の外側横方向にフィット感を体感させる。
【００４３】
パック用シートを貼り付けてフィットさせるための伸びが多少みられる素材とは、自然繊維のコットンを大半量に対して伸びる特性を有するポリエステルやポリエチレンを配合し不織布シートに加工したものである。
【００４４】
パック用シートは原料吸着を問わない製品種別については、汎用の安価な素材を用いて加工を行うことには何ら問題としない。
【００４５】
紫外線を反射させる或いは遮断させる効果を有する繊維素材とは、繊維に製剤をコーティングするか練り込ませたもので、不織布に加工されて、不織布シートは刃型で打ち抜かれてパック用シートとなるものである。
【００４６】
肌に紫外線を到達させない製剤とは、液材、散剤、顆粒剤、ゲル剤で、不織布繊維に適正含浸するか塗布でき、肌に安全性や安定性があるものをいう。
【００４７】
パック用シートの密着性をより強くするために、口部に対応する楕円形の形状を取り除いて、左右双方の突端部を引き上げると密着がよいが、会話や呼吸するための機能が必要なので、図１２の略縦長の凡そ高さ１０ｍｍ幅６ｍｍで複数の縦長略楕円の孔凡そ５ｍｍ間隔を横一列にして口部の上を覆う形状にして対応させる。
【００４８】
パック用シートは、薬液製剤を含浸又は塗布した状態で使用の１回分を薬事対応のバリヤー袋に封入して提供するが、複数回分の封入は袋や手間を省くので、コスト削減やコストを省いたお徳用商品もできる。
【００４９】
パック用シートは二面体なので貼り付ける際に、シートの表裏を違えた場合の機能や効能効果には問題としない。
【発明の効果】
【００５０】
本発明のパック用シートの効果は、額部から首元の連続した領域に素早く密着させて一度にして、同じ化粧の用法で、同じ化粧の効能効果が斑なく一度にして得られてしまうので、鏡に映る自分や対面することに余計な気を使うことが無いのと、首元までを見せられるファッションにも気軽に挑戦、着こなせる。
【００５１】
美容方法は凡そ１５分間で美容の効能効果を期することができ、また「Ｓ」字スリットの左右のシート片部が重なり合うことにより、対応する肌への美容液が２倍となって、喉部から首元を結ぶ中央部は潤うので集中した美容の効果も得られる。
【００５２】
パック用シートが貼り付けられて、外界からの紫外線をブロックしている。紫外線カットの効果は季節や使用する場所によって異なるが、通常２０分程度で日焼けを引き起こす条件下では数時間の効果を期することができるので、紫外線の多い海辺や芝生の上では効果的だ。
【００５３】
顔上半分と顔下半分から下顎部から喉部そして首元を覆うセパレーツ型は美容液のタイプを美容用法の効能効果の必要に応じて別々に組み合わせて個包装にして使用することができ、一度の用法で個々に多目的の効能効果が得られる。
【００５４】
パック用シートに切り込み線が施されて、互いのシート片部の絡みがある場合の量産では、人手を借りて折り畳むことや機械で折り畳むことを問わず、切り込み線は輪郭線の手前に施されていると、互いのシート片部での絡みが無くて作業適正が良く、量産の比較ができるのでコストダウンの計算ができる。
【図面の簡単な説明】
【００５５】
【図１】本発明品でほぼ顔面全体を覆い、下顎先両端辺部から喉の部位そして首元の部位までの連続して覆う略翁形状の平面体に打ち抜かれた縦長一体型のパック用シート
【図２】縦長一体型パック用シートのほぼ顔面の詳細図
【図３】縦長一体型パック用シートの下顎先から首元までの略翁形状の詳細図
【図４】本発明品で実施例１のほぼ顔面全体を覆い下顎先両端辺部から喉の部位そして首元の部位までの連続して覆う略翁形状のパック用シートの使用状態の説明図
【図５】本発明品でほぼ顔面全体を覆い、下顎先両端辺部から喉の部位そして首元の部位までの連続して覆う略翁形状のパック用シートを打ち抜く状況の平面図
【図６】本発明品で顔上部のパック用シートと顔下部に翁形状を加えて分かれた下部パック用シートの２枚に分割されたセパレーツ型パック用シートの平面図
【図７】２枚に分割された上部パック用シートの詳細図
【図８】２枚に分割された下部パック用シートの詳細図
【図９】本発明品で実施例２の上部パック用シートと下部パック用シートのセパレーツ型パック用シートの使用状態の説明図
【図１０】本発明品で顔上部と顔下部に分かれたセパレーツ型パック用シートを打ち抜く状況の平面図
【図１１】本発明品で眼の領域を覆い、両眼個々に適時の貼りつけや取り外しができるフラップで、つまみ用の突出部を有する平面図
【図１２】口部に対応する略縦長で複数の横一列の楕円孔の平面
【発明を実施するための形態】
【００５６】
本発明の実施例１の形態を縦長一体型パック用シートの図１と図４、実施例２の形態を顔上半分と顔下から首部までの上下２枚に分割されたセパレーツ型パック用シートの図６と図９に基づいて説明をする。
【実施例１】
【００５７】
本発明の実施例１は、ほぼ顔面から下顎先両辺端部から喉部を経て首元に連続した縦に長い領域を一体型で覆う仕組みで、粘度調整を処方した美容液を含浸或いは美容成分をゲルに含ませ塗布したシートで、折り畳まれたシートを平面体に広げるには突出部、突端部、首部の輪郭部を摘まみながら広げると素早くスムーズに広げられて、両目尻の縁部辺りや突出部を持って両眼や中央部ほぼ台形の鼻部を目安に、シートを顔面の額部分から両眼の部位、鼻部、両頬部に徐々に貼り付けて、輪郭線に内側から手前に施された切り込み線の先端部である連続部分を指で千切り、目尻部は目尻を抑えながら突出部を摘まみ外横の水平方向に引っ張ると、上から下方向の波紋状に切り込まれたミシン目状の領域の肌はより強制的にフィットされ、鼻部も両指の腹で鼻部の鼻筋を挟み形状に沿ってなぞり小鼻の溝までもフィットさせて、左右にそれぞれ連続する頬部は小鼻の溝部を指先で抑えながら頬部の左右の端を摘まんで、外横方向の少々頬部を持ち上げ気味に引っ張ると頬部は強制的に上がりフィットされる。
【００５８】
両頬部から両突端部に連続する輪郭線は指で千切り外して、外すことで左右双方にある両突端部をつかんで頬骨の上を覆いかぶせて、下顎先端部から両片端部に対応する上下に施されたスリットゾーンをあてがい、左右双方の両突端部を持ち上げると個々の下顎の形状に沿ってミシン目が開いて広がり、下顎部を包んでリフトアップ機能の力の支点となって接する肌に強いフィット感を体感させる。
【００５９】
喉部から首元までを連続して覆いフィットさせるための「Ｓ」字に似たるスリット線の始点は下顎左裏からで、右斜め下方向に走り、下顎中央部と首部真ん中を結ぶ線を通り先端部は、左右互いの円弧を描き輪郭線が交わる手前に施されていてスリット先端部と輪郭線が交差する部位は指で容易に千切り離される。
【００６０】
下顎から喉部そして首元までの連続した翁形の領域に貼り付けられる仕組みは、「Ｓ」字に似たるスリット線を境にして隔たる左スリット片部の縁部を抑えながらつかみ代を右横水平方向に強く引っ張りながら密着させ、もう一方の右スリット片部の縁部を抑えながらつかみ代を左横水平方向に強く引っ張り左の片部に覆い被せる方法で密着させる。両喉部から首部に密着して貼り付ける際の仕組みは、「Ｓ」字に似たるスリットを境にした左右両シート片部が、和服を着付ける胸元の互いの襟を交互にして合わせ引いて弛みを省くが如く、シートの互い余分な弛みを吸収させて貼り合わせる形態とする。
【００６１】
最後に貼り付けられるシートの要所の弛みを省くために、両掌で顔や頬骨、頬部、下顎両片部、喉部そして首部を抑えながら、要所の部位を指先で抑えて引っ張りながら両目尻縁部や両頬部縁部、両下顎端部そして首部の円弧を描く縁部を引いて調整することで、更に弛みを生じたシートを密着させて首元までをフィットさせるパック用シートである。
【実施例２】
【００６２】
本発明の実施例２は、顔上半分と顔下半分から下顎先両端片部そして喉の部位を経て首の部位までの連続させる面を分割してセパレーツ型に覆う仕組みで、粘度調整を処方した美容液を含浸或いは美容成分をゲルに含ませ塗布したパック用シートである。
【００６３】
顔上半分の折り畳まれたシートを平面体に広げるには、突出部を摘まみながら広げると素早くスムーズに広げられて、両目尻の縁部辺りや突出部を持って両眼や中央部ほぼ台形の鼻部を目安に、シートを顔面の額部分から両眼の部位、鼻部、両頬部に徐々に載置して、輪郭線と内側から施された切り込み線の先端部である連続した部分を指で引き千切り、目尻部は目尻を抑えながら突出部を摘まみ外横の水平方向に引っ張ると、上から下方向の波紋状に切り込まれたミシン目状の領域の肌は強制的にフィットされ、鼻部も両指の腹で鼻部の鼻筋を挟み形状に沿ってなぞりながら小鼻の溝までもフィットさせて、頬部は小鼻の溝部を指先で抑えながら頬部の左右の端を摘まんで、それぞれ外横方向の少々頬部を持ち上げ気味に引っ張ると頬部は強制的に上がりフィットされる。
【００６４】
顔下半分に下顎先両端片部から喉の部位そして首元の部位までを連続させたシートを突端部や首部の輪郭部を摘まみながら広げると素早くスムーズに広げられて、左右双方にある両突端部を持って口部に対応する切り欠き孔の横長楕円孔を目安に貼り付けて、頬骨の上を覆いかぶせて、下顎部には下顎先端部から両片端部に対応する上下に施されたスリットゾーンをあてがい、左右双方の両突端部を持ち上げると個々の下顎の形状に沿ってミシン目が開いて広がり、下顎を包みリフトアップ機能の力の支点となって接する肌に強いフィット感を体感させる。
【００６５】
喉部から首元の大領域を覆いフィットさせるための「Ｓ」字に似たる下顎左裏から斜め右下円弧の輪郭線手前に施される、スリット線の始点は下顎左裏からで、右斜め下方向に走り、下顎中央部と首部真ん中を結ぶ線を通り先部は、左右互いの円弧を描き輪郭線が交わる手前に施されていてスリット先端部と輪郭線が交わり連続した輪郭部を指で千切り、「Ｓ」字に似たるスリット線を境にして隔たる左スリット片部の縁部を抑えながらつかみ代を右横水平方向に強く引っ張りながら密着させ、もう一方の右スリット片部の縁部を抑えながらつかみ代を左横水平方向に強く引っ張りながら左の片部に覆い被せる方法で密着させる。両喉部から首元に密着して貼り付ける際の仕組みは、「Ｓ」字に似たるスリットを境にした左右両シート片部が、和服を着付ける胸元の互いの襟を交互にして合わせ引いて弛みを省くが如く、シートの互い余分な弛みを吸収させて貼り合わせる形態とする。
【００６６】
最後に顔上半分と顔下半分から首部までに載置されたシートの要所の弛みを省くために、両掌で顔や頬骨、頬部、下顎両片部、喉部そして首部を抑えながら、要所の部位を指先で抑えて両目尻縁部や両頬部縁部、両下顎端部そして首部の円弧を描く縁部のシート片部のつかみ代を引っ張って、更に弛みを生じたシートの弛みを省き密着させて首元までをフィットさせるパック用シートである。
【００６７】
セパレーツ型パック用シートの上部と下部との貼り付ける順序は特に順番を指定はしないが、下部の密着を固めリフト作業を行って、フィット感を体感させながら上部を覆いかぶせ固定することが好ましい。
【符号の説明】
【００６８】
１    本発明品のパック用シートの一つの線で繋がった輪郭線縁部
２    両眼部に対応する切り欠き孔
３    こめかみ部の弓状のミシン目状切り込み線
４    鼻部のミシン目状の切り込み線
５    両頬部のミシン目状の切り込み線
６    鼻下端部に対応する切り込み線
７    口部に対応する切り欠き孔
８    下顎部のミシン目状の切り込み線
９    こめかみ部のつまみ用突出部分
１０    下顎両端部のつまみ用突端部分
１１    フィット調整の切り込み線
１２    輪郭線の達する手前に施された切り込み線の隙間
１３    下顎左裏から斜め下方向に、片側右下の円弧輪郭線手前の「Ｓ」字の切り込み線
１４    喉部から首元を覆い、右横水平方向に伸び広がるための縦方向のミシン目状の切り込み線の左領域
１５    喉部から首元を覆い、左横水平方向に伸び広がるための縦方向のミシン目状の切り込み線の右領域
１６    左領域を右横方向に引っ張り密着させるためのつかみ代
１７    右領域を左横方向に引っ張り密着させるためのつかみ代
１８    左領域と右領域に施された縦方向で平行して並ぶ複数列のミシン目状の切り込み線
１９    口元横の部位から頬部輪郭線の手前までの不要シートを取り除いた髭状の切り欠き面
２０    下顎片部から喉部そして首部を連続した領域を深く覆う略翁形状の円弧の輪郭
２１    鼻尖の目印
２２    目の領域を覆うシートを脱着できるフラップ形態の切り込み線                ２３    フラップ先が摘まめる突出部
２４    不織布ロール
２５    不織布シートの繊維の並び方向  
２６    不織布シートの横の方向
２７    「Ｓ」字型スリット線を境にした左のシート片部
２８    「Ｓ」字型スリット線を境にした右のシート片部
２９    「Ｓ」字型スリット線の始点
３０    「Ｓ」字型スリット線が下顎中央部と首部中央部を結ぶ真ん中を交差する点
３１    「Ｓ」字型スリット線の先端部
３２    首元の左右双方からの円弧の輪郭線が交わる点
３３    口部に対向する横一列の略楕円型の切り欠き孔
３４    パック用シートの本体
３５    輪郭線を切り離す部位の目印
３６    輪郭線を切り離すための幾種の切り込み線
【図１】
2011250917.tif 000003
【図２】
2011250917.tif 000004
【図３】
2011250917.tif 000005
【図４】
2011250917.tif 000006
【図５】
2011250917.tif 000007
【図６】
2011250917.tif 000008
【図７】
2011250917.tif 000009
【図８】
2011250917.tif 000010
【図９】
2011250917.tif 000011
【図１０】
2011250917.tif 000012
【図１１】
2011250917.tif 000013
【図１２】
2011250917.tif 000014
【手続補正書】
【提出日】平成22年9月27日(2010.9.27)
【手続補正１】
【補正対象書類名】特許請求の範囲
【補正対象項目名】全文
【補正方法】変更
【補正の内容】
【特許請求の範囲】
【請求項１】
繊維の並び方向と顔面の縦方向の向きと合わせた繊維素材からなる不織布シートを、顔面の額から顎先端部分、喉を経由して首元部分までを連続して覆うことができる、左右下顎両片部の突端部から首元部分までを膨らませて結ぶ略翁形状の平面体に打ち抜き、
この平面体のうち顔面対応部分には左右の鼻翼を結ぶ水平方向の切り込み線を入れ、この切り込み線を下端として鼻筋に沿ってハ字状或いは縦方向に走るミシン目状の切り込み線を複数列形成し、
左右の眼にそれぞれ対応した箇所には横長の楕円孔を、左右の目尻からこめかみにかけての部分に対応して波紋状に広がる複数本のミシン目状切り込み線をそれぞれ形成し、この左右の波紋状に広がる複数本のミシン目状切り込み線は目尻の端の上部及び下部を始点とし、平面体の周縁直前を終端とした２本の直線の切り込み線で挟んで他と区分し、
且つ左右双方の波紋状に広がる複数本のミシン目状切り込み線の外側の打ち抜き縁部にはつまみ用の突出部を上下にずらしてそれぞれ設け、
左右の頬部にそれぞれ対応した箇所には縦方向に延びる、平行した複数本のミシン目状切り込み線を、
口に対応した箇所には横長の楕円孔を、左右の口元から両頬部の下を経て平面体の打ち抜き縁部直前に至るまでの部分に、曲線と直線を組み合わせた凡そ髭形状の横長の切りこみ線をそれぞれ設け、
顎先端部分に対応して縦方向に延びる、ミシン目状切り込み線を横方向に並列して設け、
左顎裏を始点としてここから右斜め下方の首のほぼ中央部を横切り斜め右下方向へ伸びて平面体の左右の下顎両片部の突端部から首元部分に至る輪郭線が交わる手前を終端とした略Ｓ字の切り込み線を設けた縦長一体型のパック用シート。
【請求項２】
繊維素材からなる不織布シートを、繊維の並びの方向と顔面の縦方向の向きと合わせ、顔面の額から両眼そして鼻部を覆うことができる上部のパック用シートと、口部から顎先端部分を経由して、喉そして首元部分までを連続して覆うことができる、左右下顎両片部の突端部から首元部分までを膨らませて結ぶ略翁形状の下部パック用シートの平面体に打ち抜き、上下２枚に分割されたセパレーツ型のパック用シートであって、
上部パック用シートの平面体のうち顔面対応部分には左右の鼻翼を結ぶ水平方向の切り込み線を入れ、この切り込み線を下端として鼻筋に沿ってハ字状或いは縦方向に走るミシン目状の切り込み線を複数列形成し、
左右の眼にそれぞれ対応した箇所には横長の楕円孔を、左右の目尻からこめかみにかけての部分に対応して波紋状に広がる複数本のミシン目状切り込み線をそれぞれ形成し、この左右の波紋状に広がる複数本のミシン目状切り込み線は目尻の端の上部及び下部を始点とし、平面体の周縁直前を終端とした２本の直線の切り込み線で挟んで他と区分し、
且つ左右双方の波紋状に広がる複数本のミシン目状切り込み線の外側の打ち抜き縁部にはつまみ用の突出部を上下にずらしてそれぞれ設け、
左右の頬部にそれぞれ対応した箇所には縦方向に延びる、平行した複数本のミシン目状切り込み線を設け、
パック用シートの外周縁部は額上部の両端から左右こめかみ縁を経て両頬部端の部位までを覆う形状とし、
下部パック用シートは口に対応した箇所には横長の楕円孔を形成し、
これに連続して顎先端部分に対応して縦方向に延びる、ミシン目状切り込み線を横方向に並列して設け、
左顎裏を始点としてここから右斜め下方の首のほぼ中央部を横切り斜め右下方向へ伸びて平面体の左右の下顎両片部の突端部から首元部分に至る輪郭線が交わる手前を終端とした略Ｓ字の切り込み線を設け、パック用シートの外周縁部は人中から左右両頬部へ下顎両片部を経て喉部分そして首元部分までを覆う形状としたセパレーツ型のパック用シート。
【請求項３】
Ｓ字の切り込み線で隔てられた左右それぞれの領域の、喉部から首元に至る箇所には縦方向に延びる、平行した複数列のミシン目状切り込み線をそれぞれ形成した請求項１または２に記載のパック用シート。
【請求項４】
平面体の外周縁部には、切り込み線先端に対向した楔形の切り込みを施し、この楔形の切り込み最奥部に前記内側からの切り込み線と対向する短い切り込み線を形成した請求項１から３のいずれかに記載のパック用シート。